(57)【要約】 【課題】  対物レンズによって発生するフレア光を減少させ、迷光を低減することができる光ピックアップ装置および情報記録再生装置を提供する。【解決手段】  光源１１と対物レンズ１５との間の光経路上に、立上げミラー１４が設けられる。立上げミラー１４の入射面部１４ａには、第１半導体レーザ素子から発せられる第１波長の光ビームを反射させ、かつ第２半導体レーザ素子から発せられる第２波長の光ビームを透過させる第１領域２１と、第１および第２半導体レーザ素子から発せられる各光ビームを反射させる第２領域２２とを有する波長選択膜が設けられる。これによって、第２半導体レーザ素子から発せられて立上げミラー１４の入射面部１４ａに入射した第２波長の光ビームのうち、第１領域２１に入射した光ビームを透過させ、第２領域２２に入射した光ビームだけを反射させて対物レンズ１５に導くことができる。【選択図】      図１
2007328862.tif 000002
【特許請求の範囲】
【請求項１】
異なる２つの発振波長の光ビームを発する光源と、
光源から発せられた光ビームを、各光ビームに対応する光記録媒体に集光させる対物レンズと、
光源と対物レンズとの間の光経路上に設けられ、入射した光ビームをその発振波長に応じて反射または透過させる波長選択性光学素子であって、反射させた光ビームを対物レンズに導く波長選択性光学素子と、
光源から発せられ、光記録媒体の情報記録面で反射された光ビームを検出する光検出器とを含み、
波長選択性光学素子は、光源から発せられる一方の発振波長の光ビームを反射させ、かつ他方の発振波長の光ビームを透過させる第１領域と、光源から発せられる各光ビームを反射させる第２領域とを有することを特徴とする光ピックアップ装置。
【請求項２】
波長選択性光学素子の第１および第２領域の配設位置は、光記録媒体のトラック方向に対応する方向への対物レンズの可動範囲および対物レンズの予め定める基準位置に基づいて設定されることを特徴とする請求項１記載の光ピックアップ装置。
【請求項３】
光源から発せられた光ビームが入射する立上げミラーをさらに含み、
波長選択性光学素子は、前記立上げミラーの表面部に設けられ、入射した光ビームをその発振波長に応じて反射または透過させる波長選択膜から成ることを特徴とする請求項１または２記載の光ピックアップ装置。
【請求項４】
請求項１〜３のいずれか１つに記載の光ピックアップ装置を搭載することを特徴とする情報記録再生装置。
【発明の詳細な説明】
【技術分野】
【０００１】
本発明は、光記録媒体に記録されている情報を読取る処理、および光記録媒体に情報を記録する処理の少なくともいずれか一方の処理をするときに好適に用いられる光ピックアップ装置および情報記録再生装置に関する。
【背景技術】
【０００２】
コンパクトディスク（略称：ＣＤ）およびディジタルバーサタイルディスク（略称：ＤＶＤ）などの光ディスク状記録媒体（以下、単に「光記録媒体」という）に記録されている情報の読取りおよび記録をするために、光ピックアップ装置が用いられている。光ピックアップ装置は、半導体レーザ素子などの光源から出射された光ビームを光記録媒体に対して照射し、光記録媒体からの反射光を光検出器で検出することによって、光記録媒体に記録されている情報の読取りおよび記録をするように構成される。
【０００３】
ＣＤの厚み寸法は１．２ｍｍであり、ＤＶＤの厚み寸法は０．６ｍｍであるので、焦点距離が異なる。したがってＣＤおよびＤＶＤに記録されている情報の読取りおよび記録をするために、光源として、互いに異なる発振波長の光ビームを発する２つの半導体レーザ素子が用いられ、対物レンズは、２つの半導体レーザ素子からそれぞれ発せられる光ビームに対する焦点距離が異なる２焦点レンズを用いる必要がある。半導体レーザ素子から発せられる光ビームをＣＤの情報記録面に集光させるためには、対物レンズの開口数（
Numerical Aperture；略称：ＮＡ）を０．４５にする必要があり、半導体レーザ素子から発せられる光ビームをＤＶＤの情報記録面に集光させるためには、対物レンズのＮＡを０．６にする必要がある。
【０００４】
半導体レーザ素子から発せられ、対物レンズに入射する光ビームの径（以下「入射光束径」という場合がある）Φと対物レンズのＮＡとは、対物レンズの焦点距離をｆとしたとき、式（１）によって関係付けられる。
Φ＝２ｆ×ＮＡ                                                  …（１）
【０００５】
したがって予め定める焦点距離ｆを有する対物レンズを用いる場合、予め定めるＮＡを得るためには、厚み寸法が異なる光記録媒体に応じて、それぞれ異なる光束径Φの光ビームを対物レンズに入射させる必要がある。
【０００６】
図１１は、従来の技術の光ピックアップ装置において、ＤＶＤ１に対して発せられた光ビームの光経路を簡略化して示す図であり、図１２は、従来の技術の光ピックアップ装置において、ＤＶＤ１で反射された光ビームの光経路を簡略化して示す図である。半導体レーザ素子から発せられた光ビームは、立上げミラー２によって光経路が変換された後、半導体レーザ素子から発せられる光ビームがＤＶＤ１の情報記録面に集光するようにＮＡが調整されている対物レンズ３を通過して、ＤＶＤ１の情報記録面に集光される。またＤＶＤ１の情報記録面で反射された光ビームは、対物レンズ３を通過し、立上げミラー２によって光経路が変換された後、図示外の光検出器に入射する。
【０００７】
前述のように光ピックアップ装置において、半導体レーザ素子から発せられる光ビームがＤＶＤ１の情報記録面に集光するようにＮＡが調整された対物レンズ３を用いる場合は、必要なＮＡを得るための入射光束径Φの調整をする必要がない。
【０００８】
他方、半導体レーザ素子から発せられる光ビームがＤＶＤ１の情報記録面に集光するようにＮＡが調整された対物レンズを用いて、ＣＤに記録されている情報の読取りおよび記録をするには、半導体レーザ素子から発せられた光ビームの対物レンズへの入射光束径Φを絞ることによって、前記光ビームがＣＤの情報記録面に集光するようにＮＡを調整する必要がある。
【０００９】
入射光束径Φを絞る場合、回折溝を有する回折型対物レンズを用いて、回折溝の回折作用によって入射光束径Φを絞る方法と、対物レンズの前段にフィルタを設けることによって、入射光束径Φを絞る方法とが用いられている。
【００１０】
図１３は、回折型対物レンズ５を備える従来の技術の光ピックアップ装置において、ＣＤ６に対して発せられた光ビームの光経路を簡略化して示す図であり、図１４は、回折型対物レンズ５を備える従来の技術の光ピックアップ装置において、ＣＤ６で反射された光ビームの光経路を簡略化して示す図である。半導体レーザ素子から発せられた光ビームは、立上げミラー２によって光経路が変換されて回折型対物レンズ５を通過するときに、回折型対物レンズ５に形成されている回折溝の回折作用によって回折される。回折型対物レンズ５で回折された光の一部は、ＣＤ６に記録されている情報の読取りおよび記録の処理に不要な光であるフレア光７として散乱される。
【００１１】
このように回折型対物レンズ５に入射した光ビームをフレア光７として散乱させることによって、回折型対物レンズ５に入射した光ビームの光束径Φを絞り、所定のＮＡになるように調整している。回折型対物レンズ５を通過して回折された光は、ＣＤ６の情報記録面で反射され、往路と同一の経路を通過して図示外の光検出器に入射する。
【００１２】
図１５は、フィルタ８を備える従来の技術の光ピックアップ装置において、ＣＤ６に対して発せられた光ビームの光経路を簡略化して示す図であり、図１６は、フィルタ８を備える従来の技術の光ピックアップ装置において、ＣＤ６で反射された光ビームの光経路を簡略化して示す図である。立上げミラー２と対物レンズ３との間の光経路上には、フィルタ８が設けられている。半導体レーザ素子から発せられた光ビームは、立上げミラー２によって光経路が変換された後、フィルタ８に入射する。フィルタ８に入射した光ビームのうち、フレア光の発生源となる外周部の光ビームは、フィルタ８によって遮断される。これによって対物レンズ３に入射する光ビームの光束径Φを絞り、所定のＮＡになるように調整している。
【００１３】
前述の回折溝を有する回折型対物レンズ５またはフィルタ８によって入射光束径Φを絞る技術は、特許文献１〜３に示されている。特許文献１の光ピックアップ装置では、厚み方向に貫通する円形開口部が形成されるとともに、円形開口部以外の部分にダイクロイックコーティングが施されたフィルタが対物レンズの支持部材に固定されて設けられ、波長が６３５ｎｍのレーザ光線束は、フィルタのダイクロイックコーティングが施された部分を透過して対物レンズに入射し、波長が７８０ｎｍのレーザ光線束は、外周部分の光線束が前記ダイクロイックコーティングが施された部分によって反射されて、光線束径が前記フィルタの円形開口部の直径に制限されるように構成される。
【００１４】
特許文献２の光ヘッドは、対物レンズアクチュエータに一体に取り付けられた可動開口制限板によって、レーザ検出器一体モジュールの半導体レーザから出射された光ビームの開口制限を行うように構成される。つまり、高密度光ディスクを再生する場合は、対物レンズの開口すべてを使って再生し、基材厚１．２ｍｍの光ディスクを再生する場合は、光ディスクの再生に最適な集光状態となるように可動開口制限板を光ビーム中に移動させることによって開口制限を行う。
【００１５】
特許文献３の光ピックアップ装置は、半導体レーザ装置と対物レンズとの間に、焦点誤差信号にノイズの影響を及ぼしやすいレーザ光の対物レンズに対する開口径を制限するダイクロイックフィルタを設けることによって、対物レンズの外側の領域に光が入射しないようにして、レンズ特性から発生するノイズを除去し、対物レンズと光ディスクとの位置制御を誤らずに行うように構成される。
【００１６】
【特許文献１】特開平１０−２２２８６６号公報
【特許文献２】特開平８−５５３６３号公報
【特許文献３】特開２００３−４５０６９号公報
【発明の開示】
【発明が解決しようとする課題】
【００１７】
前述の従来の技術のように、立上げミラー２と対物レンズ３との間の光経路上にフィルタ８を設けて、フィルタ８に入射した光ビームのうち外周部の光ビームを遮断することによって、対物レンズ３に入射した光ビームの光束径Φを絞る場合には、フィルタ８が別途に必要となるので、光ピックアップ装置の製造コストが増大し、またフィルタ８の配設位置の調整作業が煩雑であるという問題がある。さらに半導体レーザ素子から発せられた光ビームがフィルタ８の立上げミラー２側の一表面で反射されて、図示外の光検出器に、信号光以外の迷光として入射してしまい、光記録媒体に記録されている情報の読取りおよび記録するための検出信号に誤差が生じるという問題がある。
【００１８】
また前述の従来の技術のように、回折型対物レンズ５に入射した光ビームをフレア光７として散乱させることによって、回折型対物レンズ５に入射した光ビームの光束径Φを絞る場合には、回折型対物レンズ５によってフレア光７が必然的に発生する。このフレア光７は、光記録媒体で反射され、図示外の光検出器に、信号光以外の迷光として入射してしまう。これによって、光記録媒体に記録されている情報の読取りおよび記録するための検出信号に誤差が生じるという問題がある。
【００１９】
本発明の目的は、対物レンズによって発生するフレア光を減少させ、迷光を低減することができる光ピックアップ装置および情報記録再生装置を提供することである。
【課題を解決するための手段】
【００２０】
本発明は、異なる２つの発振波長の光ビームを発する光源と、
光源から発せられた光ビームを、各光ビームに対応する光記録媒体に集光させる対物レンズと、
光源と対物レンズとの間の光経路上に設けられ、入射した光ビームをその発振波長に応じて反射または透過させる波長選択性光学素子であって、反射させた光ビームを対物レンズに導く波長選択性光学素子と、
光源から発せられ、光記録媒体の情報記録面で反射された光ビームを検出する光検出器とを含み、
波長選択性光学素子は、光源から発せられる一方の発振波長の光ビームを反射させ、かつ他方の発振波長の光ビームを透過させる第１領域と、光源から発せられる各光ビームを反射させる第２領域とを有することを特徴とする光ピックアップ装置である。
【００２１】
また本発明は、波長選択性光学素子の第１および第２領域の配設位置は、光記録媒体のトラック方向に対応する方向への対物レンズの可動範囲および対物レンズの予め定める基準位置に基づいて設定されることを特徴とする。
【００２２】
また本発明は、光源から発せられた光ビームが入射する立上げミラーをさらに含み、
波長選択性光学素子は、前記立上げミラーの表面部に設けられ、入射した光ビームをその発振波長に応じて反射または透過させる波長選択膜から成ることを特徴とする。
【００２３】
また本発明は、前記光ピックアップ装置を搭載することを特徴とする情報記録再生装置である。
【発明の効果】
【００２４】
本発明によれば、光源から発せられた各光ビームは、対物レンズによって、各光ビームに対応する光記録媒体に集光される。光源と対物レンズとの間の光経路上には、入射した光ビームをその発振波長に応じて反射または透過させ、反射させた光ビームを対物レンズに導く波長選択性光学素子が設けられる。波長選択性光学素子は、光源から発せられる一方の発振波長の光ビームを反射させ、かつ他方の発振波長の光ビームを透過させる第１領域と、光源から発せられる各光ビームを反射させる第２領域とを有する。
【００２５】
光源から発せられた前記一方の発振波長の光ビームは、波長選択性光学素子の第１領域に入射すると、反射されて対物レンズに導かれ、波長選択性光学素子の第２領域に入射すると、反射されて対物レンズに導かれる。光源から発せられた前記他方の発振波長の光ビームは、波長選択性光学素子の第１領域に入射すると、透過され、波長選択性光学素子の第２領域に入射すると、反射されて対物レンズに導かれる。対物レンズに導かれた光ビームは、光記録媒体の情報記録面に集光される。光記録媒体の情報記録面に集光された光ビームは、光検出器によって検出される。
【００２６】
前述のように光源と対物レンズとの間の光経路上に、波長選択性光学素子を設けることによって、光源から発せられて波長選択性光学素子に入射した他方の発振波長の光ビームのうち、第２領域に入射した光ビームだけを反射させて対物レンズに導くことができる。換言すると、波長選択性光学素子を設けることによって、光源から発せられた他方の発振波長の光ビームが対物レンズに入射する前に、前記他方の発振波長の光ビームのビーム径を予め定める寸法に制約することができ、ビーム径が予め定める寸法に制約された前記他方の発振波長の光ビームを、対物レンズに入射させることができる。
【００２７】
これによって対物レンズの開口数を、前記他方の発振波長の光ビームを光記録媒体の情報記録面に集光させるために適した開口数に調整することができる。したがってビーム径を予め定める寸法に制約していない前記他方の発振波長の光ビームを対物レンズに入射する場合に比べて、前記他方の発振波長の光ビームが対物レンズを通過するときに発生するフレア光の光量を低減することができる。
【００２８】
これによって対物レンズで発生したフレア光が光記録媒体で反射され、信号光以外の迷光として光検出器に入射する割合を低減することができる。したがってビーム径を予め定める寸法に制約していない前記他方の発振波長の光ビームを対物レンズに入射する場合に比べて、迷光によって、光記録媒体に記録されている情報の読取りおよび記録するための検出信号に誤差が生じることを抑制することができる。
【００２９】
また本発明によれば、波長選択性光学素子の第１および第２領域の配設位置は、光記録媒体のトラック方向に対応する方向への対物レンズの可動範囲および対物レンズの予め定める基準位置に基づいて設定される。これによって光源から発せられた光ビームが対物レンズに入射する前に、光ビームのトラック方向におけるビーム径を、対物レンズが外力によって予め定める基準位置から光記録媒体のトラック方向に対応する方向へ可動する範囲の最大寸法に制約することができ、ビーム径が対物レンズの前記トラック方向に対応する方向へ可動する範囲の最大寸法に制約された光ビームを、対物レンズに入射させることができる。
【００３０】
このように前記トラック方向におけるビーム径が制約された光ビームを対物レンズに入射させることができるので、トラック方向におけるビーム径の寸法を制約していない光ビームを対物レンズに入射させる場合に比べて、光ビームが対物レンズを通過することによって発生するフレア光の光量を低減することができる。
【００３１】
これによって対物レンズで発生したフレア光が光記録媒体で反射され、信号光以外の迷光として光検出器に入射する割合をさらに低減することができる。したがってトラック方向におけるビーム径の寸法を制約していない光ビームを対物レンズに入射する場合に比べて、迷光によって、光記録媒体に記録されている情報の読取りおよび記録するための検出信号に誤差が生じることをさらに抑制することができる。
【００３２】
また本発明によれば、波長選択性光学素子は、光源から発せられた光ビームが入射する立上げミラーの表面部に設けられ、入射した光ビームをその発振波長に応じて反射または透過させる波長選択膜によって実現することができる。したがって立上げミラーの表面部に設けられる波長選択膜によって、光源から発せられた光ビームをその発振波長に応じて反射または透過させ、たとえば光源から発せられた他方の発振波長の光ビームが対物レンズに入射する前に、前記他方の発振波長の光ビームのビーム径を予め定める寸法に制約することができる。
【００３３】
これによって前記他方の発振波長の光ビームのビーム径を予め定める寸法に制約するためだけに用いるフィルタなどの光学部品を、立上げミラーとは個別に設ける前記従来の技術とは異なり、光学部品の部品点数を増大させることを防ぎ、かつ光ピックアップ装置の製造コストの増大を防ぐことができる。
【００３４】
また本発明によれば、前述のような光ピックアップ装置を搭載する情報記録再生装置、具体的には、迷光によって、光記録媒体に記録されている情報の読取りおよび記録するための検出信号に誤差が生じることを抑制することができる情報記録再生装置を実現することができる。
【発明を実施するための最良の形態】
【００３５】
以下に、本発明を実施するための複数の形態について説明する。以下の説明において、先行して説明している事項に対応する部分については同一の参照符を付し、重複する説明を省略する場合がある。構成の一部のみを説明している場合、構成の他の部分は、先行して説明している部分と同様とする。
【００３６】
図１は、本発明の実施の一形態の光ピックアップ装置１０の構成を示す図である。光ピックアップ装置１０は、コンパクトディスク（Compact Disk；略称：ＣＤ）およびディジタルバーサタイルディスク（Digital Versatile Disk；略称：ＤＶＤ）などの光ディスク状記録媒体（以下、単に「光記録媒体」という）１８に対して光ビームを照射することによって、光記録媒体１８の情報を読取る処理および光記録媒体１８に情報を記録する処理の少なくともいずれか一方の処理をする。光記録媒体１８は、たとえばＣＤ、ＣＤ−Ｒ（
Compact Disk-Recordable）、ＣＤ−ＲＷ（Compact Disk-Rewritable）、ＤＶＤ、ＤＶＤ−Ｒ（Digital Versatile Disk-Recordable）およびＤＶＤ−ＲＡＭ（Digital Versatile
Disk-Random Access Memory）である。
【００３７】
光ピックアップ装置１０は、光源１１、コリメートレンズ１２、プリズム１３、立上げミラー１４、対物レンズ１５、集光レンズ１６および光検出器１７を含んで構成される。光源１１は、第１半導体レーザ素子および第２半導体レーザ素子を含む。第１半導体レーザ素子は、発振波長が第１波長、たとえば６５０ｎｍの赤色波長のレーザ光（以下「第１レーザ光」という場合がある）を発し、たとえばＤＶＤの情報記録面に記録された情報の読取りを行うときに用いられる。第２半導体レーザ素子は、発振波長が第２波長、たとえば７８０ｎｍの赤外波長のレーザ光（以下「第２レーザ光」という場合がある）を発し、たとえばＣＤの情報記録面に記録された情報の読取りおよびＣＤの情報記録面への情報の記録を行うときに用いられる。
【００３８】
コリメートレンズ１２は、入射したレーザ光を平行光にする。プリズム１３は、光記録媒体１８に向かうレーザ光と、光記録媒体１８で反射されたレーザ光とを分離する。立上げミラー１４は、光源１１と対物レンズ１５との間の光経路上に設けられる。立上げミラー１４の一表面部には、波長選択性光学素子である波長選択膜が設けられる。波長選択膜は、プリズム１３を通過して入射したレーザ光を、その発振波長に応じて反射または透過させる。また立上げミラー１４は、プリズム１３を通過して入射したレーザ光の光経路を９０度屈曲させて前記レーザ光を対物レンズ１５へ導き、また対物レンズ１５を通過して入射したレーザ光の光経路を９０度屈曲させて前記レーザ光をプリズム１３へと導く。
【００３９】
対物レンズ１５は、回折溝を有する回折型対物レンズによって実現される。対物レンズ１５は、立上げミラー１４によって屈曲されたレーザ光を、そのレーザ光に対応する光記録媒体１８に集光させる。集光レンズ１６は、プリズム１３を通過して入射したレーザ光を光検出器１７へ導く。光検出器１７は、たとえばフォトダイオードによって実現される。光検出器１７は、光記録媒体１８で反射されたレーザ光を受光し、受光したレーザ光に基づいて、光電変換によって光を電気信号に変換して、光記録媒体１８のピットの信号を検出する。以下の説明において、第１半導体レーザ素子から発せられる第１レーザ光、および第２半導体レーザ素子から発せられる第２レーザ光を、単に「光ビーム」という場合がある。
【００４０】
第１および第２半導体レーザ素子から発せられた光ビームは、コリメートレンズ１２に入射する。コリメートレンズ１２に入射した光ビームは、平行光束に変換されてプリズム１３に入射する。プリズム１３に入射した光ビームは、光経路が９０度屈曲されて、立上げミラー１４に入射する。立上げミラー１４に入射した光ビームは、その発振波長に応じて反射または透過する。立上げミラー１４によって反射されて、光経路が９０度屈曲された光ビームは、対物レンズ１５に入射する。対物レンズ１５に入射した光ビームは、その光ビームに対応する光記録媒体１８の情報記録面に集光する。
【００４１】
光記録媒体１８で反射された光ビームは、対物レンズ１５および立上げミラー１４を通過してプリズム１３に入射する。プリズム１３に入射した光ビームは、プリズム１３を透過して集光レンズ１６に入射し、集光レンズ１６によって光検出器１７の所定の領域に導かれる。光ピックアップ装置１０は、光検出器１７によって検出される信号に基づいて、光記録媒体１８の情報を読取る処理および光記録媒体１８に情報を記録する処理の少なくともいずれか一方の処理をする。
【００４２】
図２は、立上げミラー１４の入射面部１４ａを示す端面図である。図３は、ＣＤ１８ａに対して発せられた光ビームの光経路を簡略化して示す図である。図４は、ＣＤ１８ａで反射された光ビームの光経路を簡略化して示す図である。図３および図４では、理解を容易にするために、立上げミラー１４、対物レンズ１５および光記録媒体であるＣＤ１８ａのみを示している。
【００４３】
立上げミラー１４は、三角柱状に形成されている。立上げミラー１４は、第１および第２半導体レーザ素子から発せられ、プリズム１３を通過した光ビームが入射する入射面部１４ａを有する。本実施の形態では、入射面部１４ａにおいて、プリズム１３を通過した光ビームが入射する方向（以下「入射方向」という場合がある）に直交する方向をＸ方向と定義し、立上げミラー１４の高さ方向をＹ方向と定義する。図２では、Ｘ方向をＸと表記し、Ｙ方向をＹと表記する。立上げミラー１４の入射面部１４ａは、入射方向一方から見て、Ｘ方向に延びる長方形状に形成される。
【００４４】
立上げミラー１４の一表面部である入射面部１４ａには、波長選択膜が設けられる。波長選択膜は、第１半導体レーザ素子から発せられ、プリズム１３を通過した光ビームを反射させ、かつ第２半導体レーザ素子から発せられ、プリズム１３を通過した光ビームを透過させる機能を有する薄膜によって形成される第１領域２１と、第１および第２半導体レーザ素子から発せられ、プリズム１３を通過した光ビームを反射させる機能を有する薄膜によって形成される第２領域２２とを有する。
【００４５】
第１領域２１は、入射面部１４ａのＹ方向両端部寄りの位置に、Ｘ方向に延びる長方形状に配設される。入射方向一方から入射面部１４ａを見たとき、第１領域２１のＹ方向に平行な高さ寸法ｄ１は、立上ミラー１４の高さ寸法Ｈから、立上げミラー１４の入射面部１４ａに投影された領域であって対物レンズ１５に有効に入射する光ビームの領域（以下「有効光束領域」という）２６の直径寸法Ｒを差引いた寸法の１／２に選ばれる。
【００４６】
第２領域２２は、入射面部１４ａの第１領域２１が配設される部分を除いた残余の部分に配設される。換言すると第２領域２２は、入射面部１４ａのＹ方向一端部とＹ方向他端部との中間に、Ｘ方向に延びる長方形状に配設される。第２領域２２のＹ方向に平行な高さ寸法は、有効光束領域２６の直径寸法Ｒに選ばれる。
【００４７】
図２には、入射面部１４ａに投影された領域であって、対物レンズ１５が予め定める基準位置に位置するときに、対物レンズ１５に有効に入射する光ビームの領域（以下「基準有効光束領域」という）２６ａと、入射面部１４に投影された領域であって、対物レンズ１５が後述するトラック方向Ｔｒの一方に最も大きく移動することによって、入射面部１４ａのＸ方向一方に最も大きく変位した有効光束領域（以下「一方側有効光束領域」という）２６ｂと、入射面部１４ａに投影された領域であって、対物レンズ１５が後述するトラック方向Ｔｒの他方に最も大きく移動することによって、入射面部１４ａのＸ方向他方に最も大きく変位した有効光束領域（以下「他方側有効光束領域」という）２６ｃとを示している。本実施の形態では、基準有効光束領域２６ａ、一方側有効光束領域２６ｂおよび他方側有効光束領域２６ｃを総称して、「有効光束領域２６」という。
【００４８】
第２半導体レーザ素子から発せられ、プリズム１３を通過して立上げミラー１４の入射面部１４ａに入射した光ビームのうち、第１領域２１に入射した光ビームは、図３に矢符Ａで示すように、立上げミラー１４を透過し、前記入射面部１４ａの第２領域２２に入射した光ビームは、反射して対物レンズ１５に入射し、ＣＤ１８ａの情報記録面に集光する。
【００４９】
ＣＤ１８ａの情報記録面で反射され、対物レンズ１５を通過して立上げミラー１４の入射面部１４ａに入射した光ビームのうち、第１領域２１に入射した光ビームは、立上げミラー１４を透過し、前記入射面部１４ａの第２領域２２に入射した光ビームは、反射してプリズム１３に導かれる。
【００５０】
前述のように本実施の形態によれば、光源１１と対物レンズ１５との間の光経路上に、立上げミラー１４が設けられる。立上げミラー１４の入射面部１４ａには、第１半導体レーザ素子から発せられる第１波長の光ビームを反射させ、かつ第２半導体レーザ素子から発せられる第２波長の光ビームを透過させる第１領域２１と、第１および第２半導体レーザ素子から発せられる各光ビームを反射させる第２領域２２とを有する波長選択膜が設けられる。これによって、第２半導体レーザ素子から発せられて立上げミラー１４の入射面部１４ａに入射した第２波長の光ビームのうち、第１領域２１に入射した光ビームを透過させ、第２領域２２に入射した光ビームだけを反射させて対物レンズ１５に導くことができる。
【００５１】
換言すると、立上げミラー１４の入射面部１４ａに波長選択膜を設けることによって、第２半導体レーザ素子から発せられた第２波長の光ビームが対物レンズ１５に入射する前に、前記第２波長の光ビームのビーム径を予め定める寸法、具体的には第２波長の光ビームをＣＤ１８ａの情報記録面に集光させるために適した開口数に調整可能な寸法に制約することができ、ビーム径が予め定める寸法に制約された前記第２波長の光ビームを、対物レンズ１５に入射させることができる。
【００５２】
これによって対物レンズ１５の開口数を、前記第２波長の光ビームをＣＤ１８ａの情報記録面に集光させるために適した開口数に調整することができる。したがってビーム径を予め定める寸法に制約していない第２波長の光ビームを対物レンズ１５に入射する前記従来の技術に比べて、前記第２波長の光ビームが対物レンズ１５を通過するときに発生するフレア光の光量を低減することができる。
【００５３】
これによって対物レンズ１５で発生したフレア光がＣＤ１８ａで反射され、信号光以外の迷光として光検出器１７に入射する割合を低減することができる。したがってビーム径を予め定める寸法に制約していない第２波長の光ビームを対物レンズ１５に入射する前記従来の技術に比べて、迷光によって、ＣＤ１８ａに記録されている情報の読取りおよび記録するための検出信号に誤差が生じることを抑制することができる。
【００５４】
また本実施の形態によれば、光源１１から発せられた光ビームが入射する立上げミラー１４の入射面部１４ａに、波長選択性光学素子である波長選択膜が設けられる。これによって、波長選択膜に入射した光ビームをその発振波長に応じて反射または透過させ、たとえば光源１１から発せられた第２波長の光ビームが対物レンズ１５に入射する前に、前記第２波長の光ビームのビーム径を予め定める寸法に制約することができる。これによって前記第２波長の光ビームのビーム径を予め定める寸法に制約するためだけに用いるフィルタなどの光学部品を、立上げミラー１４とは個別に設ける前記従来の技術とは異なり、光学部品の部品点数を増大させることを防ぎ、かつ光ピックアップ装置１０の製造コストの増大を防ぐことができる。
【００５５】
また本実施の形態によれば、立上げミラー１４と対物レンズ１５の間の光経路上に、フィルタなどの光学部品を設ける必要がない。したがって、立上げミラー１４と対物レンズ１５の間の光経路上にフィルタなどの光学部品を設ける必要がある前記従来の技術に比べて、光ビームが立上げミラー１４から光記録媒体１８に向かう方向への光ピックアップ装置１０の薄形化および小形化を図ることができる。
【００５６】
図５は、立上げミラー１４および対物レンズ１５を通過した光ビームが光記録媒体１８に集光される状態を示す図である。図６は、図５を、光記録媒体１８に向かう光ビームが立上げミラー１４に入射する方向から見た端面図である。図７は、入射光束領域２５、一方側有効光束領域２６ｂおよび他方側有効光束領域２６ｃを示す図である。
【００５７】
図６には、第１および第２半導体レーザ素子から発せられた光ビームが立上げミラー１４および対物レンズ１５に入射する入射光束領域２５と、基準有効光束領域２６ａとを示している。図７には、入射光束領域２５、一方側有効光束領域２６ｂおよび他方側有効光束領域２６ｃを示している。入射光束領域２５、基準有効光束領域２６ａ、一方側有効光束領域２６ｂおよび他方側有効光束領域２６ｃは、それぞれ略円形状である。基準有効光束領域２６ａ、一方側有効光束領域２６ｂおよび他方側有効光束領域２６ｃは、入射光束領域２５よりも小さい領域である。換言すると、基準有効光束領域２６ａの直径寸法を表す有効光束径Ｒは、入射光束領域の直径寸法を表す入射光束径Ｌよりも小さい。
【００５８】
対物レンズ１５において、入射光束領域２５のうち基準有効光束領域２６ａを除いた残余の領域（以下「周辺光束領域」という）２７を通過した光ビームは、対物レンズ１５に形成されている回折溝の回折作用によって回折させ、光記録媒体１８に記録されている情報の読取りおよび記録の処理に不要な光であるフレア光２８として散乱させることによって除去している。
【００５９】
光ピックアップ装置１０は、対物レンズ１５の位置を、光記録媒体１８のラジアル（半径）方向に移動させ、各半導体レーザ素子から発せられる各レーザ光のビームスポットが光記録媒体１８の情報記録面上のトラックを追従するように、前記ビームスポットとトラックとの位置関係を調整するトラッキングサーボ制御をすることによって、スピンドル部３０に装着された光記録媒体１８に記録されている情報を読取るように構成されている。
【００６０】
対物レンズ１５は、図示しないアクチュエータによって、対物レンズ１５の光軸方向であるフォーカス方向および光記録媒体１８のラジアル（半径）方向に平行な方向であるトラック方向にそれぞれ移動駆動可能に構成されている。したがってトラッキングサーボ制御が行われているとき、アクチュエータに取付けられている対物レンズ１５は、トラック方向Ｔｒに微小に移動駆動し、予め定める基準位置から変位する。
【００６１】
また光ピックアップ装置１０は、後述する情報記録再生装置に搭載されており、光ピックアップ装置１０自体もトラック方向Ｔｒに移動駆動している。これによって対物レンズ１５は、光ピックアップ装置１０のトラック方向Ｔｒへの移動駆動に伴い、慣性によってトラック方向Ｔｒに大きく変位することがある。したがって対物レンズ１５がトラック方向Ｔｒに変位すると、有効光束領域２６も入射光束領域２５内で、予め定める基準位置からトラック方向Ｔｒに変位、図７では矢符Ｂで示す方向に変位することになる。
【００６２】
本来、トラックの中心に対物レンズ１５が位置するときに、立上げミラー１４の入射面部１４ａに設けられる波長選択膜の第２領域２２に入射する光ビームが、光記録媒体１８に記録されている情報の読取りおよび記録の処理に必要な有効光束領域２６の光ビームとして使用される。対物レンズ１５が、予め定める基準位置からトラック方向Ｔｒに変位すれば、光記録媒体１８に記録されている情報の読取りおよび記録の処理をするために使用される光ビームの有効光束領域２６は、トラック方向Ｔｒに変位する。
【００６３】
対物レンズ１５がトラック方向Ｔｒに変位することによって、基準有効光束領域２６ａが、一方側有効光束領域２６ｂまたは他方側有効光束領域２６ｃに変位する。そこで本実施の形態では、基準有効光束領域２６ａがトラック方向Ｔｒに変位することを考慮して、図２に示すように、入射面部１４ａのＹ方向一端部とＹ方向他端部との中間の位置に、Ｘ方向に延びる長方形状に第２領域２２を配設し、入射面部１４ａのＹ方向両端部寄りの位置に、Ｘ方向に延びる長方形状に第１領域２１を配設している。
【００６４】
しかし前述の実施の形態では、立上げミラー１４の入射面部１４に設けられる波長選択膜の前記第２領域２２に入射した光ビームのトラック方向Ｔｒのビーム径を制約するようには構成されていないので、図２に示す第２領域２２で反射されて対物レンズ１５に入射した入射光束領域２５のうち、周辺光束領域２７の光ビームに起因してフレア光２８が発生することになる。このような対物レンズ１５で発生するフレア光２８の光量をさらに低減するためには、立上げミラー１４の入射面部１４ａにおける第１領域２１および第２領域２２の配設位置を、トラック方向Ｔｒへの対物レンズ１５の可動範囲および対物レンズ１５の予め定める基準位置に基づいて設定する必要がある。
【００６５】
図８は、本発明の実施の他の形態の光ピックアップ装置における立上げミラー１４の入射面部１４ａを示す端面図である。本実施の形態では、対物レンズ１５のトラック方向Ｔｒへの変位に伴って基準有効光束領域２６ａが、一方側有効光束領域２６ｂまたは他方側有効光束領域２６ｃに変位することを考慮し、対物レンズ１５の可動範囲および対物レンズ１５の予め定める基準位置に基づいて、立上げミラー１４の入射面部１４ａに設ける波長選択膜の第１領域２１および第２領域２２の位置および形状などを決定している。
【００６６】
具体的に述べると、本実施の形態の第２領域２２は、図８に示すように、入射面部１４ａの中央付近部に、Ｘ方向に延びる長方形状に配設される。第２領域２２は、第２領域２２のＹ方向一方側の外縁部と、入射面部１４ａのＹ方向一端部とがＹ方向に予め定める間隔ｄ１をあけて、かつ第２領域２２のＹ方向他方側の外縁部と、入射面部１４ａのＹ方向他端部とがＹ方向に予め定める間隔ｄ１をあけて配設される。さらに第２領域２２は、第２領域２２のＹ方向に平行なＸ方向一方側の外縁部と、入射面部１４ａのＸ方向一端部とがＸ方向に予め定める間隔ｄ２をあけて、かつ第２領域２２のＹ方向に平行なＸ方向他方側の外縁部と、入射面部１４ａのＸ方向他端部とがＸ方向に予め定める間隔ｄ２をあけて配設される。
【００６７】
ここで、前記予め定める間隔ｄ１は、入射方向一方から入射面部１４ａを見たとき、立上ミラー１４の高さ寸法Ｈから、立上げミラー１４の入射面部１４ａに投影された有効光束領域２６の直径寸法Ｒを差引いた寸法の１／２に選ばれる。
【００６８】
前記予め定める間隔ｄ２は、入射方向一方から入射面部１４ａを見たとき、立上げミラー１４のＸ方向に平行な幅方向寸法Ｗから、対物レンズ１５のトラック方向Ｔｒへの変位に基づく基準有効光束領域２６ａのトラック方向Ｔｒへの最大変位幅ｕを２倍した寸法と有効光束領域２６の直径寸法Ｒとの総和を差引いた寸法の１／２に選ばれる。第１領域２１は、入射面部１４ａの第２領域２２を除いた残余の部分に、第２領域２２を囲繞するように配設される。
【００６９】
前述のように本実施の形態によれば、トラック方向Ｔｒへの対物レンズ１５の可動範囲および対物レンズ１５の予め定める基準位置に基づいて、立上げミラー１４の波長選択膜の第２領域２２のＸ方向の長さ寸法を、図２に示す立上げミラー１４の波長選択膜の第２領域２２のＸ方向の長さ寸法よりも小さくしている。これによって立上げミラー１４の波長選択膜の第２領域２２に入射した光ビームのＸ方向のビーム径を制約することができ、従って対物レンズ１５に入射した光ビームのトラック方向Ｔｒのビーム径を制約することができる。
【００７０】
このように本実施の形態では、前記Ｘ方向のビーム径が制約された光ビームを対物レンズ１５に入射させることができるので、Ｘ方向のビーム径を制約していない図２に示す立上げミラー１４を備える光ピックアップ装置に比べて、対物レンズ１５の入射光束領域２５における周辺光束領域２７を小さくすることができ、周辺光束領域２７の光ビームの光量を低減することができる。したがって図２に示す立上げミラー１４を備える光ピックアップ装置に比べて、周辺光束領域２７の光ビームに起因して発生するフレア光の光量を低減することができる。
【００７１】
これによって対物レンズ１５で発生したフレア光が光記録媒体１８で反射され、信号光以外の迷光として光検出器１７に入射する割合をさらに低減することができる。したがってＸ方向のビーム径を制約していない図２に示す立上げミラー１４を備える光ピックアップ装置に比べて、迷光によって、光記録媒体１８に記録されている情報の読取りおよび記録するための検出信号に誤差が生じることをさらに抑制することができる。
【００７２】
図９は、本発明の実施のさらに他の形態の光ピックアップ装置における立上げミラー１４の入射面部１４ａを示す端面図である。本実施の形態では、対物レンズ１５のトラック方向Ｔｒへの変位に伴って、基準有効光束領域２６ａが、一方側有効光束領域２６ｂまたは他方側有効光束領域２６ｃに変位することを考慮し、対物レンズ１５の可動範囲および対物レンズ１５の予め定める基準位置に基づいて、立上げミラー１４の入射面部１４ａに設ける波長選択膜の第１領域２１および第２領域２２の位置および形状などを決定している。
【００７３】
具体的に述べると、本実施の形態の第２領域２２は、図９に示すように、大略的にＸ方向に延びる長方形状である。基準有効光束領域２６ａの中心を通り、Ｙ方向に平行に延びる軸線と、基準有効光束領域２６ａのＹ方向一方側および他方側の最外縁部との交点をそれぞれＰ１，Ｐ２とする。一方側有効光束領域２６ｂの中心を通り、Ｙ方向に平行に延びる軸線と、一方側有効光束領域２６ｂのＹ方向一方側および他方側の最外縁部との交点をそれぞれＰ３，Ｐ４とする。他方側有効光束領域２６ｃの中心を通り、Ｙ方向に平行に延びる軸線と、他方側有効光束領域２６ｃのＹ方向一方側および他方側の最外縁部との交点をそれぞれＰ５，Ｐ６とする。
【００７４】
点Ｐ１と点Ｐ２とを結ぶ線分Ｐ１Ｐ２、点Ｐ１と点Ｐ３とを結ぶ線分Ｐ１Ｐ３、点Ｐ３と点Ｐ４とを結ぶ線分Ｐ３Ｐ４、および点Ｐ２と点Ｐ４とを結ぶ線分Ｐ２Ｐ４によって囲まれる長方形の領域をＳ１とする。線分Ｐ１Ｐ２、点Ｐ５と点Ｐ６とを結ぶ線分Ｐ５Ｐ６、点Ｐ１と点Ｐ５とを結ぶ線分Ｐ１Ｐ５、および点Ｐ２と点Ｐ６とを結ぶ線分Ｐ２Ｐ６によって囲まれる長方形の領域をＳ２とする。
【００７５】
線分Ｐ１Ｐ２の長さ寸法は、基準有効光束領域２６ａの直径寸法Ｒに相当し、線分Ｐ３Ｐ４の長さ寸法は、一方側有効光束領域２６ｂの直径寸法Ｒに相当し、線分Ｐ５Ｐ６の長さ寸法は、他方側有効光束領域２６ｃの直径寸法Ｒに相当する。線分Ｐ１Ｐ３、線分Ｐ２Ｐ４、線分Ｐ１Ｐ５および線分Ｐ２Ｐ６の長さ寸法は、対物レンズ１５のトラック方向Ｔｒへの変位に基づく基準有効光束領域２６ａのトラック方向Ｔｒへの最大変位幅ｕに相当する。
【００７６】
一方側有効光束領域２６ｂのうち、線分Ｐ３Ｐ４よりもＸ方向一方側の半円領域をＴ１とする。他方側有効光束領域２６ｃのうち、線分Ｐ５Ｐ６よりもＸ方向他方側の半円領域をＴ２とする。
【００７７】
第２領域２２は、領域Ｓ１のＸ方向一方側に領域Ｔ１を接合し、領域Ｓ１のＸ方向他方側に領域Ｓ２を接合し、領域Ｓ２のＸ方向他方側に領域Ｔ２を接合した領域である。換言すれば第２領域２２は、線分Ｐ３Ｐ４、線分Ｐ５Ｐ６、点Ｐ３と点Ｐ５とを結ぶ線分Ｐ３Ｐ５、および点Ｐ４と点Ｐ６とを結ぶ線分Ｐ４Ｐ６によって囲まれる長方形を、そのＸ方向両側から、半径Ｒ／２の半円によって挟んだ形状である。
【００７８】
さらに述べると第２領域２２は、第２領域２２のＸ方向一方側の外縁部が一方側有効光束領域２６ｂのＸ方向一方側の外縁部に沿うように、かつ第２領域２２のＸ方向他方側の外縁部が他方側有効光束領域２６ｃのＸ方向他方側の外縁部に沿うように配設される。第１領域２１は、入射面部１４ａの第２領域２２を除いた残余の部分に、第２領域２２を囲繞するように配設される。
【００７９】
また第２領域２２は、第２領域２２のＹ方向一方側の外縁部と、入射面部１４ａのＹ方向一端部とがＹ方向に予め定める間隔ｄ１をあけて、かつ第２領域２２のＹ方向他方側の外縁部と、入射面部１４ａのＹ方向他端部とがＹ方向に予め定める間隔ｄ１をあけて配設される。前記予め定める間隔ｄ１は、入射方向一方から入射面部１４ａを見たとき、立上ミラー１４の高さ寸法Ｈから、立上げミラー１４の入射面部１４ａに投影された有効光束領域２６の直径寸法Ｒを差引いた寸法の１／２に選ばれる。
【００８０】
前述のように本実施の形態によれば、トラック方向Ｔｒへの対物レンズ１５の可動範囲および対物レンズ１５の予め定める基準位置に基づいて、立上げミラー１４の第２領域２２の形状を、長方形を半円で挟んだ形状にすることによって、第２領域２２のＹ方向両端部におけるＸ方向の長さ寸法を、図８に示す立上げミラー１４の第２領域２２のＹ方向両端部におけるＸ方向の長さ寸法よりも小さくしている。これによって立上げミラー１４の第２領域２２に入射した光ビームのＸ方向のビーム径を制約することができ、従って対物レンズ１５に入射した光ビームのトラック方向Ｔｒのビーム径を制約することができる。
【００８１】
このように本実施の形態では、図８に示す立上げミラー１４を備える光ピックアップ装置に比べて、さらに前記Ｘ方向のビーム径が制約された光ビームを対物レンズ１５に入射させることができるので、対物レンズ１５の入射光束領域２５における周辺光束領域２７をさらに小さくすることができ、周辺光束領域２７の光ビームの光量をさらに低減することができる。したがって図８に示す立上げミラー１４を備える光ピックアップ装置に比べて、周辺光束領域２７の光ビームに起因して発生するフレア光の光量を、さらに低減することができる。
【００８２】
これによって対物レンズ１５で発生したフレア光が光記録媒体１８で反射され、信号光以外の迷光として光検出器１７に入射する割合をさらに低減することができる。したがって図８に示す立上げミラー１４を備える光ピックアップ装置に比べて、迷光によって、光記録媒体１８に記録されている情報の読取りおよび記録するための検出信号に誤差が生じることをさらに抑制することができる。
【００８３】
図１０は、情報記録再生装置３５の構成を示すブロック図である。情報記録再生装置３５は、ＣＤ１８ａおよびＤＶＤ１８ｂなどの光記録媒体１８に対して情報を記録することが可能であり、光記録媒体１８に記録される情報を再生することが可能である。情報記録再生装置３５は、光ピックアップ装置１０、演算回路部３６、再生回路部３７、制御回路部３８、入力装置３９、フォーカスサーボ用アクチュエータ４０、トラッキングサーボ用アクチュエータ４１、光源切換回路部４２およびスピンドルモータ４３を含んで構成される。
【００８４】
光ピックアップ装置１０では、制御回路部３８からの指令に基づいて光源切換回路部４２が切換えた光源１１から発せられるレーザ光が、コリメートレンズ１２、プリズム１３、立上げミラー１４および対物レンズ１５を通過して光記録媒体１８の情報記録面に集光する。そして、光記録媒体１８の情報記録面で反射された光は、光検出器１７の所定の受光領域によって受光されて、各受光領域から出力される信号がＰＤ出力信号として演算回路部３６に出力される。
【００８５】
演算回路部３６は、光ピックアップ装置１０から与えられる前記ＰＤ出力信号に基づいて、光記録媒体１８に記録される情報を再生するためのデータ検出信号を生成し、生成したデータ検出信号を再生回路部３７に出力する。また演算回路部３６は、非点収差法によってフォーカスエラー信号（以下「ＦＥＳ」という場合がある）を検出するとともに、位相差法などによってトラッキングエラー信号（以下「ＴＥＳ」という場合がある）を検出する。そして演算回路部３６は、ＦＥＳおよびＴＥＳを制御回路部３８に出力する。
【００８６】
再生回路部３７は、前記演算回路部３６から出力されるデータ検出信号を平均化（イコライズ）した後、デジタル信号に変換する。そしてエラー訂正処理などをして信号を復調し、復調した信号を再生信号として、スピーカなどの外部の出力装置に出力する。
【００８７】
制御回路部３８は、演算回路部３６から出力されるＦＥＳに基づいて、フォーカスサーボ用アクチュエータ４０を制御して、光ピックアップ装置１０の対物レンズ１５を移動させ、レーザ光のビームスポットの焦点が光記録媒体１８の情報記録面上で合致するように、ビームスポットのフォーカス位置を調整するフォーカスサーボ制御を行う。
【００８８】
また制御回路部３８は、演算回路部３６から出力されるＴＥＳに基づいて、トラッキングサーボ用アクチュエータ４１を制御して、光ピックアップ装置１０の対物レンズ１５の位置を、光記録媒体１８のラジアル（半径）方向に移動させ、レーザ光のビームスポットが光記録媒体１８の情報記録面上のトラックを追従するように、前記ビームスポットとトラックとの位置関係を調整するトラッキングサーボ制御を行う。
【００８９】
また制御回路部３８は、入力装置３９によって入力された指令に基づいて、光源切換回路部４２を制御して、ＤＶＤ１８ｂを再生する場合は、第１半導体レーザ素子から第１レーザ光を発生させ、ＣＤ１８ａを再生する場合は、第２半導体レーザ素子から第２レーザ光を発生させるとともに、スピンドルモータ４３を制御して、ＣＤ１８ａおよびＤＶＤ１８ｂを所定の速度で回転させる。
【００９０】
前述の各実施の形態の光ピックアップ装置１０を、前記の情報記録再生装置３５に搭載することによって、迷光によって、光記録媒体１８に記録されている情報の読取りおよび記録するための検出信号に誤差が生じることを抑制することができる情報記録再生装置３５を実現することができる。
【００９１】
前述の各実施の形態は、本発明の例示に過ぎず、発明の範囲内において構成を変更することができる。たとえば立上げミラー１４の形状は、三角柱状に限定されることはなく、第１領域および第２領域を配設可能な形状であれば、他の形状、たとえば平板状であってもよい。立上げミラー１４の形状が平板状であっても、前述の各実施の形態と同様の効果を得ることができる。
【図面の簡単な説明】
【００９２】
【図１】本発明の実施の一形態の光ピックアップ装置１０の構成を示す図である。
【図２】立上げミラー１４の入射面部１４ａを示す端面図である。
【図３】ＣＤ１８ａに対して発せられた光ビームの光経路を簡略化して示す図である。
【図４】ＣＤ１８ａで反射された光ビームの光経路を簡略化して示す図である。
【図５】立上げミラー１４および対物レンズ１５を通過した光ビームが光記録媒体１８に集光される状態を示す図である。
【図６】図５を、光記録媒体１８に向かう光ビームが立上げミラー１４に入射する方向から見た端面図である。
【図７】入射光束領域２５、一方側有効光束領域２６ｂおよび他方側有効光束領域２６ｃを示す図である。
【図８】本発明の実施の他の形態の光ピックアップ装置における立上げミラー１４の入射面部１４ａを示す端面図である。
【図９】本発明の実施のさらに他の形態の光ピックアップ装置における立上げミラー１４の入射面部１４ａを示す端面図である。
【図１０】情報記録再生装置３５の構成を示すブロック図である。
【図１１】従来の技術の光ピックアップ装置において、ＤＶＤ１に対して発せられた光ビームの光経路を簡略化して示す図である。
【図１２】従来の技術の光ピックアップ装置において、ＤＶＤ１で反射された光ビームの光経路を簡略化して示す図である。
【図１３】回折型対物レンズ１５を備える従来の技術の光ピックアップ装置において、ＣＤ６に対して発せられた光ビームの光経路を簡略化して示す図である。
【図１４】回折型対物レンズ１５を備える従来の技術の光ピックアップ装置において、ＣＤ６で反射された光ビームの光経路を簡略化して示す図である。
【図１５】フィルタ８を備える従来の技術の光ピックアップ装置において、ＣＤ６に対して発せられた光ビームの光経路を簡略化して示す図である。
【図１６】フィルタ８を備える従来の技術の光ピックアップ装置において、ＣＤ６で反射された光ビームの光経路を簡略化して示す図である。
【符号の説明】
【００９３】
１０  光ピックアップ装置
１１  光源
１４  立上げミラー
１４ａ  入射面部
１５  対物レンズ
１７  光検出器
１８  光記録媒体
１８ａ  コンパクトディスク（ＣＤ）
１８ｂ  ディジタルバーサタイルディスク（ＤＶＤ）
２１  第１領域
２２  第２領域
２５  入射光束領域
２６  有効光束領域
２６ａ  基準有効光束領域
２６ｂ  一方側有効光束領域
２６ｃ  他方側有効光束領域
２８  フレア光
３５  情報記録再生装置
【図１】
2007328862.tif 000003
【図２】
2007328862.tif 000004
【図３】
2007328862.tif 000005
【図４】
2007328862.tif 000006
【図５】
2007328862.tif 000007
【図６】
2007328862.tif 000008
【図７】
2007328862.tif 000009
【図８】
2007328862.tif 000010
【図９】
2007328862.tif 000011
【図１０】
2007328862.tif 000012
【図１１】
2007328862.tif 000013
【図１２】
2007328862.tif 000014
【図１３】
2007328862.tif 000015
【図１４】
2007328862.tif 000016
【図１５】
2007328862.tif 000017
【図１６】
2007328862.tif 000018